Podtech/llm-jp-corpus-v4-ja_patent huggingface dataset:
(57)【要約】【課題】コンピューターのキーボードを操作しながら字を書けるようにした筆記具又は入力ペンを提供する。【解決手段】指に付ける部材（１）にガイド部分（２）スライド部分（３）筆記具（４）をつけ、筆記具（４）が指の先を出入りする。またストッパー（５）とバネ（６）を設けて、ワンタッチで出入りさせることを特徴とする。【選択図】    図１
2004358943.tif 000002
【特許請求の範囲】
【請求項１】
指に固定する部材（１）にガイド部分（２）を設け、スライド部分（３）に筆記具（４）を設けて、ガイド部分（２）にスライド部分（３）を摺り動く状態で保持させた指先に付ける筆記具。
【請求項２】
ガイド部分（２）とスライド部分（３）の間にバネ（５）を挟み、指に固定する部材（１）にストッパー（６）を設けた請求項１の指先につける筆記具。
【発明の詳細な説明】
【０００１】
【発明の属する技術分野】
この発明は、コンピュータのキーボード操作時に、書く又は入力するため指先に付ける筆記具に関する物である。
【０００２】
【従来の技術】
従来、コンピュータのキーボードを操作する時、筆記具を使うには筆記具を持ち直し、キーボードを使うときは筆記具を手放さなければならなかった。
筆記具を持ちながらキーボードを操作する人もいたが、ほとんどの人はキーボードと筆記具を一度手放して持ち替えながら使っていた。
コンピュータ入力ペンも同様に、キーボードを使い入力ペンを使用するときはペンを持ち直さなければならなかった。
【０００３】
【発明が解決しようとする課題】
そのために、次のような欠点があった。
（イ）何度も筆記具を持ち直すことは煩わしく苦痛であった。
（ロ）筆記具を持ちながらキーボードを操作することは訓練と熟練を要し簡単にはできなかった。
（ハ）作業を進める上で能率が悪かった。
本発明は、これらの欠点を解決するためになされたものである。
【０００４】
【課題を解決するための手段】
指に固定する部材（１）にガイド部分（２）を設ける。ガイド部分（２）にスライド部分（３）を摺り動く状態で保持させる。スライド部分に筆記具（４）を取り付ける。
以上の構成に加えて、ガイド部分（２）とスライド部分（３）の間にバネ（５）を挟み、指先に固定する部材（１）にストッパー（６）を取り付ける。
本発明は、上記の構成からなる指先筆記具又は指先入力装置である。
【０００５】
【発明実施の形態】
以下、本発明の実施の形態について説明する。
（イ）指先の接触感がわかるようにした、指に固定する部材（１）にガイド部分（２）を設ける。
（ロ）ガイド部分（２）にスライド部分（３）を摺り動く状態で保持させる。
（ハ）スライド部分に筆記具（４）を設ける。
（ニ）ガイド部分（２）とスライド部分（３）の間にバネ（５）を挟み、ガイド部分（２）の上をスライド部分（３）が動くとき、バネ（５）の圧力が働くようにする。
（ホ）指先に固定する部材（１）にストッパー（６）を取り付ける。
（ヘ）本発明は以上のような構造でこれを使用するときは、（い）（ろ）（は）については次の通りである。
指に固定する部材（１）を指に付け、別の指でスライド部分（３）を動かし、スライド部分（３）に取り付けてある筆記具（４）をスライドさせて指より先に出し、筆記具として使用する。筆記具を使わずキーボードなどを扱うときは指先より引き込み、筆記具が邪魔にならないようにする。
（ト）次に（ニ）（ホ）に付いては以下の通りである。
指につけた筆記具（４）を出し入れする時、スライド部分（３）とガイド部分（２）の間にバネ（５）を噛ませ、バネの力で筆記具（４）を押し出す。筆記具（４）を引き込む場合は、筆記具（４）をつけた指の隣の指でスライド部分（３）を動かし、ストッパー（６）で止め、引き込んだ状態で固定する。筆記具を押し出すときはストッパー（６）を解除してバネ（５）の力で押し出し、筆記具が使えるようにする。
（チ）ストッパー（６）とバネ（５）の位置を変えれば、引き込む時にばねを使い、押し出すときは指を使うようにすることもできる。
（リ）指先につける部材の先端部を開口にすれば接触感は普通の状態だからキーボードの操作はしやすいが、開口にしなくても材質を調整すれば接触感を感じるようにすることができる。また接触感がなくても本発明は機能する。
（ヌ）筆器具をコンピュータの入力ペンにすれば同様の効果が得られる。
【０００６】
【発明の効果】
筆記具は普通３本の指と手の甲を使用して持つが、本発明においては持たなくても保持できる。このとき１本の指には本発明筆記具が付くが他の指は自由であるし、本発明筆記具の付いた指も指先は使えるから、キーボード操作や書類を扱うことも十分可能である。
筆記具を持ったまま両手で書類を扱う人はたくさんいるがキーボードを操作できる人はほとんどいない。扱う人の器用性と訓練がなければ難しい。しかし本発明筆記具は誰でも筆記具を保持したままキーボードを扱うことができるし、訓練する必要も無くすぐに使える。
書類やコンピュータや筆器具を連続して使用する場合、たとえばキーボードを操作しながらメモを取る時や、小さな伝票をなん枚も記入することは、筆器具をたびたび持ち直さなければならず、煩わしい作業であったが、本発明筆記具を使用すれば煩わしさから開放されるし作業が少なくなる分能率も上がる。
人差し指の親指側の爪面上部には物があっても、操作上や物を扱う上で邪魔になりにくい。そこに筆記具が在るようにすれば、書類などを扱っても筆記具をつけていることがさして気にはならず、快く作業することができる。
【図面の簡単な説明】
【図１】本発明の全体正面図
【図２】本発明Ａ−Ａ′断面図
【図３】本発明の指に付ける部材（１）とガイド部分（２）の正面図
【図４】本発明Ｂ−Ｂ′断面図
【図５】本発明のスライド部分（３）と筆記具（４）の正面図
【図６】本発明Ｃ−Ｃ′断面図
【図７】本発明の筆記可能状態の正面図
【図８】本発明Ｄ−Ｄ′断面図
【図９】本発明の筆記具収納状態の正面図
【図１０】本発明Ｅ−Ｅ′断面図
【図１１】本発明の平面図
【符号の説明】
（１）    指に固定する部材
（２）    ガイド部分
（３）    スライド部分
（４）    筆記具
（５）    バネ
（６）    ストッパー
（７）    指
（８）    爪
（９）    支点
（１０）  力Ｆ
【図１】
2004358943.tif 000003
【図２】
2004358943.tif 000004
【図３】
2004358943.tif 000005
【図４】
2004358943.tif 000006
【図５】
2004358943.tif 000007
【図６】
2004358943.tif 000008
【図７】
2004358943.tif 000009
【図８】
2004358943.tif 000010
【図９】
2004358943.tif 000011
【図１０】
2004358943.tif 000012
【図１１】
2004358943.tif 000013
(57)【要約】      （修正有）【課題】汚泥等廃棄処理物を有効に活用する為に、嫌気性の多様性生物から産生されるメタンガス、水素ガス、アルコールなどのガス類を合理的に集積できる装置を提供する。【解決手段】カプセル型の装置を用い、外周、底面に水温調節層7を設け、上部層や下部層は，すり鉢状で、また下部層の底面に吸着用セラミックが流出しないようにメッシュを施し、排出用バルブ及び攪拌用水中ポンプ4を設け、上部層の頂点部分にはガス取り出しバルブ6を設けた構造とする。【選択図】図１
2004358450.tif 000002
【特許請求の範囲】
【請求項１】
廃棄汚泥処理水等、又は廃棄される特定の有機物（ビール粕・魚介類等）等を嫌気性の多様性生物（水素産生菌・メタン産生菌等）等から生産するガス類を、合理的に集積する為に
イ）多様性生物の機能性や特徴に応じた素材の本体で、廃棄汚泥処理水等の容量を満たす容積を設け、外周と底面に水温調整層（水ヒーター）を施し
ロ）本体の下部層は大きく、上部層方は擦り合わせ程度に小さい層で、下部層や上部層の底面や頂点はすり鉢状で、
ハ）下部層の底面の役割は、沈殿した汚泥を排出しやすいように、すり鉢状で排出用バルブを設け、底面にはメッシュを施し、吸着用セラミックが排水バルブの配管に流れ出さないように施し、また攪拌用水中ポンプを設置し
ニ）上部層の頂点部分はガスが集積しやすいように施し、またガス取り出し用バルブを設け、ガスの圧力で上部の蓋が浮上し、ガスの圧縮性を保ち、またガスの産生量に適応した容積を施す事の出来る、カプセル型の装置を有する事を特徴とする。
【発明の詳細な説明】
【０００１】
【発明の属する技術分野】
本発明は、多様性生物から生産される気化性のガスの浮上圧力を応用し、下部層に投入した処理物や故意的化合物等の培地から、多様性生物から生産されるガス類を上部層のすり鉢状に集合させ、ガスの浮上圧力に応じて上部層の浮き上がる方式で発生ガス容量に応じて自由に調整できるカプセル式ガス集積装置である。
【０００２】
【従来の技術】
既存では、気化ガスを別の容量層を設けたり移送するなど、過大な設備投資とエネルギーを必要としている。
【０００３】
【発明者が解決しようとする課題】
多様性生物から産生される気化性ガス等を効率よく発生させ、しかも設備投資が安価でガスの容量と気化したガスの浮上圧力によって集める事ができる装置等で問題を解決するものである。
【０００４】
【課題を解決する為の手段】
本発明によれば、ビール粕等・汚泥水廃棄処理水や故意的組成物等の培地を作成し、多様性生物から産生されるメタンガス・水素ガス・アルコール等、気化性またはガス類を、故意的に発生させ、その気化圧力（浮上圧力）の力を利用し、自由にガスの発生する容積率をコントロールできるカプセル型の装置で
ア）本体は、多様性生物の機能性に応じた材質を利用し、水圧に耐えられる円錐型の２層式型で、固定した下部層より小さめ程度の、または摺り合わせ程度の上部層を組み合わせ
イ）支持金物で固定した下部層は、底面がすり鉢状でビール粕・汚泥等や故意的組成物・無機質等若しくは生物から発生する残渣物を排出するに集まり易くし
ウ）上部層は多様性生物から産生される気化物・ガス類の浮上圧力を応用し、その上部層が圧力で浮き上がる仕組みで、発生する量に応じた容積を確保、又は上部層に重さを調整する事で圧縮がすることが出来る装置が出来た。
【０００５】
【発明の実態の形態】
本発明は、多様性生物に応じた構造と材質のカプセル式ガス祖集積装置に、多様性生物を選定し、宿主代わりのセラミックボールに吸着投入し、選定した多様性生物に応じた特定のビール粕・魚介類・有機物や故意的培地に組成添加物を投入し、カプセル内に設けた水中ポンプで設定した時間に攪拌し、また下部層の周囲に施した水ヒーターの温度調整を行い、生産効率を高めるため継続試験を実施し問題を解決した。
【０００６】
【実施例】
以下本発明をさらに詳細に説明する。
本発明の実施例の、装置の概略図は、図で示される。
本発明の実施において、嫌気性の多様性生物から産生されるメタンガス・水素ガス・アルコール等の気化性ガス類を集積する方法で、実験材料として送付されたビール粕（アサヒビール廃液）の材料を現状のまま使用し、嫌気性の多様性生物を培養投入した、また宿主としてセラミックボールに吸着し実験を開始した。
▲１▼本体は多様性生物の機能性に応じた材料で、ＳＵＳ製等の鉱物やアクリール等透過性に良い材質を選定し、固定した下部層の底面はすり鉢状で、本体や底面の外周は▲２▼水ヒーターで温度調整した二層式で、また底面には汚泥抜き取りようの▲３▼バルブを設け、また汚泥と多様性生物の攪拌に▲４▼攪拌用水中ポンプを施した。▲５▼上部層本体は▲１▼と同じ条件の材質を使用し、頂点はすり鉢状で気化性等のガスが集まりやすいように施し、その集積したガス類を▲６▼抜き取り用バルブで、それぞれを示す。
【０００７】
▲１▼下部層本体は多様性生物の機能性や気化性ガス類等の発生化合物に耐久性のある材質を選定し、底面はすり鉢状で汚泥等が集積し排出しやすい▲３▼汚泥抜き取り用バルブを施し、本体や底面の外周は▲２▼水ヒーターを施し、多様性生物の適温に適した温度を制御するための▲７▼ヒーターを設け、また▲１２▼循環ポンプは水温を設定温度を維持するために攪拌し▲８▼沸騰防止管で、▲９▼汚泥投入配管で開閉式バルブを設け、汚泥・作成した故意的培地等を攪拌するための▲４▼攪拌用水中ポンプで、本体を▲１０▼固定金物で丈夫な構造である。
【０００８】
▲５▼上部層本体は▲１▼と同じく材質を使用し、頂点はすり鉢状で、多様性生物から産生される気化性のガス類を集積しやすいように施し、産生されたガス類が溜まり▲１▼より摺り合せ程度小さい▲５▼は浮上する仕組みで、また重量を調整する事で集積圧力を蓄える事も出来る。またガス類を取出の▲６▼バルブを設けた。
【０００９】
▲１１▼は層内の汚濁状態を確認するためと▲１２▼水位計を設けレベル確認を行う。
【図面の簡単な説明】
【図１】カプセル式ガス集積装置の系統図である。
【符号の説明】
▲１▼  下部層本体
▲２▼  水ヒーター
▲３▼  汚泥抜き取り用バルブ
▲４▼  攪拌用水中ポンプ
▲５▼  上部層本体
▲６▼  ガス取り出しバルブ
▲７▼  ヒーター
▲８▼  沸騰防止管
▲９▼  汚泥等投入管
▲１０▼  固定金物
▲１１▼  透明板
▲１２▼  循環ポンプ
【図１】
2004358450.tif 000003